(57)【要約】【課題】仮設足場が存在しない建築現場において、内側空間から施工作業を可能とした持ち出しタイプかつスラブ隠しタイプの手摺構成体を提供する。【解決手段】スラブの鼻先部に構築した手摺本体の支柱に対して、ブラケットを介して、持ち出しタイプかつスラブ隠しタイプの腰壁体を連結した構成において、腰壁体を昇降可能とする摺動機構を設けている。摺動機構は、上下方向に延びるレール部材と、該レール部材に摺動自在に嵌挿されたスライダーを備え、腰壁体を内側空間から外側空間に持ち出した状態で下降させたとき、レール部材の開口部にスライダーを挿入させるように構成され、腰壁体を定位置と上方の作業位置との間で昇降可能とする。スライダーとレール部材の摺動可能な状態と摺動不能な状態を自在とする固定解放手段が設けられている。【選択図】図４
2010144403.tif 000002
【特許請求の範囲】
【請求項１】
バルコニーや廊下を構成するコンクリートスラブ(1)の外側空間(S1)と内側空間(S2)の間に位置する鼻先部(2)に沿って所定間隔で立設された支柱(6)を備える手摺本体(3)と、前記手摺本体(3)を外側空間(S1)から被う腰壁体(4)と、前記腰壁体を手摺本体の支柱に連結するブラケット(5)から成る持ち出しタイプの手摺構成体において、
前記腰壁体(4)は、手摺本体(3)の上端から鼻先部(2)の下端(L1)までの上下領域(H1)を被う高さ寸法(H2)を有しており、該腰壁体(4)の下端部により鼻先部(2)を被った状態で固定される位置を定位置(P2)とするスラブ隠しタイプの腰壁を構成し、
前記支柱(6)と腰壁体(4)の一方を第１構成部材(M1)とし、他方を第２構成部材(M2)として、前記ブラケット(5)の基端部(5a)を第１構成部材(M1)に固着すると共に、該ブラケットの先端部(5b)を第２構成部材(M2)に摺動機構(12)を介して連結し、
前記摺動機構(12)は、上下方向に延びるレール部材(13)と、該レール部材に摺動自在に嵌挿されたスライダー(14)を備え、腰壁体(4)を内側空間(S2)から外側空間(S1)に持ち出した状態で下降させたとき、レール部材(13)の開口部にスライダー(14)を挿入させるように構成されると共に、該摺動機構(12)により、前記腰壁体(4)を前記定位置(P2)と、該腰壁体の下端部を前記鼻先部(2)の上方に位置させる上動位置(P1)との間で、昇降可能となるように構成しており、
前記スライダー(14)とレール部材(13)の摺動可能な状態と摺動不能な状態を自在とする固定解放手段(15)を設けたことを特徴とする持ち出しタイプかつスラブ隠しタイプの手摺構成体。
【請求項２】
前記レール部材(13)は、ブラケット(5)の先端部(5b)に臨む当接部(16)と、該当接部を幅方向に分断して上下方向に延びるスリット状のスライド溝(17)を有する中空の長尺部材により形成され、
前記スライダー(14)は、前記レール部材(13)の中空部(18)に内装されると共に前記当接部(16)に沿って摺動する摺動片(19)を備えており、
前記固定解放手段(15)は、前記摺動片(19)に突設されると共に前記スライド溝(17)を挿通して延びる固着用ボルト(21)と、該固着用ボルトを挿通させるように前記ブラケット(5)の先端部(5b)に設けられた貫通孔(22)と、該貫通孔を挿通した固着用ボルト(21)の挿出端に螺着される固着ナット(23)とから構成され、
前記固着ナット(23)を弛緩することによりレール部材(13)とスライダー(14)を相互に摺動自在に解放し、前記固着ナット(23)を締着することにより前記当接部(16)をスライダー(14)とブラケット(5)の先端部(5b)との間に摺動不能に挟着するように構成されていることを特徴とする請求項１に記載の持ち出しタイプかつスラブ隠しタイプの手摺構成体。
【請求項３】
前記レール部材(13)にストッパー部材(43)を設けており、
前記腰壁体(4)を定位置(P2)まで下動したとき、前記ストッパー部材(43)がブラケット側の固定部材(45)に係止することにより、前記腰壁体(4)が定位置(P)から下動することを阻止するように構成されていることを特徴とする請求項２に記載の持ち出しタイプかつスラブ隠しタイプの手摺構成体。
【請求項４】
前記腰壁体(4)は、透明又は半透明のパネル(7)の外周を額縁状の矩形フレーム(8)により保持されたパネルタイプの腰壁を構成しており、
前記矩形フレーム(8)は、左右の竪枠(11)(11)の上下端を上枠(10)と下枠(9)により連結すると共に、各枠の内側にパネル(7)の周縁を保持する保持溝(28)((38)(30)を形成し、左右の竪枠(11)(11)の保持溝(28)(28)に対して上方からパネル(7)の両側縁を挿入可能とする上部開閉手段(41)を設けており、
前記竪枠(11)が前記レール部材(13)を形成しており、該レール部材(13)の下端に前記スライダー(14)を下方から挿入可能とする下端開口部を設けたことを特徴とする請求項１、２、又は３に記載の持ち出しタイプかつスラブ隠しタイプの手摺構成体。
【請求項５】
前記腰壁体(4)は、上下方向に延びる竪格子(4a)を横方向に列設した竪格子タイプの腰壁を構成し、該腰壁体(4)に竪枠(53)を備えており、
前記竪枠(53)が前記レール部材(13)を形成しており、該レール部材(13)の下端に前記スライダー(14)を下方から挿入可能とする下端開口部を設けたことを特徴とする請求項１、２、又は３に記載の持ち出しタイプかつスラブ隠しタイプの手摺構成体。
【請求項６】
前記腰壁体(4)は、横方向に延びる横格子(4b)を上下方向に列設した横格子タイプの腰壁を構成し、該腰壁体(4)に竪枠(61)を備えており、
前記竪枠(61)が前記レール部材(13)を形成しており、該レール部材(13)の下端に前記スライダー(14)を下方から挿入可能とする下端開口部を設けたことを特徴とする請求項１、２、又は３に記載の持ち出しタイプかつスラブ隠しタイプの手摺構成体。
【発明の詳細な説明】
【技術分野】
【０００１】
本発明は、持ち出しタイプであり、しかも、スラブ隠しタイプとされた手摺構成体に関する。
【背景技術】
【０００２】
中高層マンションのような集合住宅等においては、工期の短縮とコストの軽減を図る目的から仮設足場を必要としない建築工法が研究されている。この際、バルコニーや外部廊下の手摺構成体は、採光性と防風性、更にはデザイン性を重視する観点から、ガラス腰壁や格子腰壁を備えた「腰壁タイプ」の手摺構成体が多く採用される傾向にある。このような手摺構成体は、バルコニーや廊下を構成するコンクリートスラブの外側空間と内側空間の間に位置する鼻先部に沿って所定間隔で支柱を列設することにより手摺本体を構成し、前記支柱にブラケットを介して腰壁体を取付けることにより構築される。従って、腰壁体が外側に持ち出し状に支持されるため「持ち出しタイプ」と称される。
【０００３】
ところで、腰壁タイプのデザイン性を突き詰めると、その一つの方向性として、腰壁体を外壁面と同一面で設置された外壁の一部、又は他の外壁と連続するファサードを構成する一部外壁材としてのデザイン的な要素を有する腰壁タイプの手摺構成体の製作、並びに施工が求められる。
【０００４】
このようなデザイン的な要求を満たすためには、建物の外観として、手摺本体の笠木や支柱上部が外部から視認できないように腰壁体で被い隠すことが好ましく、更には、外部からバルコニーや廊下のコンクリートスラブの鼻先部を見せないように、腰壁体によりスラブの鼻先部分を被い隠した「スラブ隠しタイプ」の手摺構成体を提供することが望ましい。これにより、腰壁体が建物の外観部の前面に設置されると共に、他の外壁と同一面上で連続するファサードを構成することが可能になる。
【０００５】
この点に関して、特許第３６９８６９５号公報（特許文献１）には、集合住宅における腰壁タイプであって、しかも、持ち出しタイプかつスラブ隠しタイプとした手摺構成体が開示されている。
【０００６】
また、特開２００７−１３８４９９号公報（特許文献２）には、持ち出しタイプかつスラブ隠しタイプの手摺構成体であって、上下２個所に設けられたブラケットに工夫を施し、腰壁体を一人の作業者でも容易に取付け可能とした技術が開示されている。
【０００７】
【特許文献１】特許第３６９８６９５号公報
【特許文献２】特開２００７−１３８４９９号公報
【発明の開示】
【発明が解決しようとする課題】
【０００８】
特許文献１の持ち出しタイプかつスラブ隠しタイプとした手摺構成体は、特に、ガラスの嵌め込みやシール作業を建物の外部側から施工する際に、高層マンションのような高所であって、仮設足場が存在しない現場では、安全かつ迅速に施工を行うことが困難である。
【０００９】
また、特許文献１及び特許文献２の持ち出しタイプかつスラブ隠しタイプの手摺構成体は、何れも、施工が完了した後は、腰壁体が取付け施工された位置に固定されており、移動させることができない。換言すれば、腰壁体が建物のスラブ鼻先部を被う位置に固着されているので、ガラスの破損時や、スラブ鼻先部の清掃、更には、スラブ鼻先部のタイル補修または塗装工事等のメンテナンスに対応できる構成を有していない。
【００１０】
本発明は、持ち出しタイプかつスラブ隠しタイプの手摺構成体であって、従来は取付け施工が不可能とされていた仮設足場が存在しない建築現場においても、バルコニーや廊下等の内側空間から安全かつ迅速に施工できるように構成すると共に、施工後においても、腰壁体を簡単な作業で容易に上動可能とし、前述のようなメンテナンスに対応できるように構成することを課題とする。
【００１１】
本発明は、パネルタイプの腰壁、竪格子タイプの腰壁、横格子タイプの腰壁のように、任意の形態とした腰壁体を適用することが可能な持ち出しタイプかつスラブ隠しタイプの手摺構成体を提供することを課題とする。この際、矩形フレームにガラス板等のパネルを保持させたパネルタイプの腰壁においては、バルコニーや廊下等の内側空間から、矩形フレームに対するパネルの取付け又は取外し作業を行うことができるように構成することを課題とする。
【課題を解決するための手段】
【００１２】
そこで、本発明が上記課題を解決するための手段として構成したところは、バルコニーや廊下を構成するコンクリートスラブの外側空間と内側空間の間に位置する鼻先部に沿って所定間隔で立設された支柱を備える手摺本体と、前記手摺本体を外側空間から被う腰壁体と、前記腰壁体を手摺本体の支柱に連結するブラケットから成る持ち出しタイプの手摺構成体において、前記腰壁体は、手摺本体の上端から鼻先部の下端までの上下領域を被う高さ寸法を有しており、該腰壁体の下端部により鼻先部を被った状態で固定される位置を定位置とするスラブ隠しタイプの腰壁を構成し、前記支柱と腰壁体の一方を第１構成部材とし、他方を第２構成部材として、前記ブラケットの基端部を第１構成部材に固着すると共に、該ブラケットの先端部を第２構成部材に摺動機構を介して連結し、前記摺動機構は、上下方向に延びるレール部材と、該レール部材に摺動自在に嵌挿されたスライダーを備え、腰壁体を内側空間から外側空間に持ち出した状態で下降させたとき、レール部材の開口部にスライダーを挿入させるように構成されると共に、該摺動機構により、前記腰壁体を前記定位置と、該腰壁体の下端部を前記鼻先部の上方に位置させる上動位置との間で、昇降可能となるように構成しており、前記スライダーとレール部材の摺動可能な状態と摺動不能な状態を自在とする固定解放手段を設けて成る点にある。
【００１３】
本発明の好ましい実施形態において、前記レール部材は、ブラケットの先端部に臨む当接部と、該当接部を幅方向に分断して上下方向に延びるスリット状のスライド溝を有する中空の長尺部材により形成され、前記スライダーは、前記レール部材の中空部に内装されると共に前記当接部に沿って摺動する摺動片を備えており、前記固定解放手段は、前記摺動片に突設されると共に前記スライド溝を挿通して延びる固着用ボルトと、該固着用ボルトを挿通させるように前記ブラケットの先端部に設けられた貫通孔と、該貫通孔を挿通した固着用ボルトの挿出端に螺着される固着ナットとから構成され、前記固着ナットを弛緩することによりレール部材とスライダーを相互に摺動自在に解放し、前記固着ナットを締着することにより前記当接部をスライダーとブラケットの先端部との間に摺動不能に挟着するように構成されている。
【００１４】
前記レール部材にストッパー部材を設け、前記腰壁体を定位置まで下動したとき、前記ストッパー部材がブラケット側の固定部材に係止することにより、前記腰壁体が定位置から下動することを阻止するように構成することが好ましい。
【００１５】
本発明の手摺構成体における腰壁体は、パネルタイプの腰壁、竪格子タイプの腰壁、横格子タイプの腰壁のように、任意の形態とした腰壁体を構成することが可能である。
【００１６】
パネルタイプの腰壁を構成する手摺構成体の実施形態において、前記腰壁体は、透明又は半透明のパネルの外周を額縁状の矩形フレームにより保持されたパネルタイプの腰壁を構成しており、前記矩形フレームは、左右の竪枠の上下端を上枠と下枠により連結すると共に、各枠の内側にパネルの周縁を保持する保持溝を形成し、左右の竪枠の保持溝に対して上方からパネルの両側を挿入可能とする上部開閉手段を設けており、前記竪枠が前記レール部材を形成しており、該レール部材の下端に前記スライダーを下方から挿入可能とする下端開口部を設けている。
【００１７】
竪格子タイプの腰壁を構成する手摺構成体の実施形態において、前記腰壁体は、上下方向に延びる竪格子を横方向に列設した竪格子タイプの腰壁体を構成し、該腰壁体に竪枠を備えており、前記竪枠が前記レール部材を形成しており、該レール部材の下端に前記スライダーを下方から挿入可能とする下端開口部を設けている。
【００１８】
横格子タイプの腰壁を構成する手摺構成体の実施形態において、前記腰壁体は、横方向に延びる横格子を上下方向に列設した横格子タイプの腰壁体を構成し、前記竪枠が前記レール部材を形成しており、該レール部材の下端に前記スライダーを下方から挿入可能とする下端開口部を設けている。
【発明の効果】
【００１９】
請求項１に記載の本発明によれば、持ち出しタイプの腰壁体４であって、しかも、手摺本体３の上端からスラブ１の鼻先部２の下端Ｌ１までの上下領域Ｈ１を被う高さ寸法Ｈ２を有するスラブ隠しタイプの腰壁体４が構築されるので、建物の外観部に腰壁体４を連続させたファサードを構成するデザイン的に優れた手摺構成体を提供することができる。
【００２０】
特に、本発明は、ブラケット５により連結される支柱６と腰壁体４の相互間に、上下方向に延びるレール部材１３と、該レール部材１３に摺動自在に嵌挿されたスライダー１４を備えた摺動機構１２を設け、腰壁体４を内側空間Ｓ２から外側空間Ｓ１に持ち出した状態で下降させることにより、レール部材１３の開口部から該レール部材１３の中空部１８にスライダー１４を挿入させ、これにより摺動機構１２を組付ける構成であるから、該摺動機構１２の摺動を介して腰壁体４を下動させた後、定位置Ｐ２において固定解放手段１５で固定することにより、仮設足場が存在しない建築現場においても、作業者が内側空間Ｓ２から全ての施工作業を行うことが可能であり、持ち出しタイプかつスラブ隠しタイプの手摺構成体を容易に構築できるという利点がある。
【００２１】
この際、前記固定解放手段１５は、スライダー１４とレール部材１３の摺動可能状態と摺動不能状態を自在とするように構成されているので、手摺構成体の施工を完了した後においても、該固定解放手段１５を操作することにより摺動可能とした状態で、腰壁体４を定位置Ｐ２から作業位置Ｐ１まで上動させることが可能である。従って、施工後においても、腰壁体４を簡単容易に上動することができ、鼻先部２の清掃や、鼻先部２のタイル補修または塗装工事等のメンテナンスに対応できるという効果がある。
【００２２】
そして、請求項２に記載の本発明によれば、固着用ナット２３を弛緩したとき、スライダー１４の摺動片１４がレール部材１３の当接部１６に沿って摺動自在とされ、かつ固着用ボルト２１がスライド溝１７に沿って摺動自在とされる一方、固着用ナット２３を締着したとき、レール部材１３の当接部１６をスライダー１４とブラケット５の先端部５ｂにより摺動不能に挟着するように構成しているので、固着用ナット２３を操作するだけで簡単に摺動可能状態と摺動不能状態の切換えが行われ、操作性が良く、内側空間Ｓ２からの作業を容易とする。
【００２３】
更に、請求項３に記載の本発明によれば、摺動機構１２の摺動を介して腰壁体４を作業位置Ｐ１から定位置Ｐ２まで下動させたとき、ストッパー部材４３が固定部材４５に係止し、腰壁体４を定位置Ｐ２に停止させるので、誤作業により腰壁体４が落下する危険はなく、しかも、定位置Ｐ２に位置決めされた状態で固定解放手段１５により腰壁体４を固定すれば良く、作業性が極めて良い。更に、施工完了後においても、万一、固定解放手段１５の固着用ナット２３が緩んだ場合でも、腰壁体４が下動するおそれはなく、定位置Ｐ２での取付け状態を維持できるという効果がある。
【００２４】
そして、請求項４に記載の本発明によれば、透明又は半透明のパネル７の外周を額縁状の矩形フレーム８により保持したパネルタイプの腰壁を有する手摺構成体が提供される。この際、矩形フレーム８は、竪枠１１、１１の保持溝２８に上方からパネル７の両側縁を挿入可能とする上部開閉手段４１を設けており、該竪枠１１、１１により上記摺動機構１２のレール部材１３を形成すると共に、該レール部材１３の下端に前記スライダー１４を下方から挿入可能とする下端開口部を設けている。従って、矩形フレーム８を内側空間Ｓ２から外側空間Ｓ１に持ち出した状態で下降させることにより、レール部材１３の下端の開口部から該レール部材１３の中空部１８にスライダー１４を挿入させ、これにより摺動機構１２を組付けた後、固定解放手段１５により摺動機構１２を摺動不能に固定し、矩形フレーム８を作業位置Ｐ１に定置させた状態で、該矩形フレーム８に上方からパネル７を装着することができる。このため、矩形フレーム８を持ち出した状態で固定する作業と、その後、該矩形フレーム８にパネル７を装着する作業を順次に行うことができるので、パネル７がガラス板等の重量物とされる場合でも、内側空間Ｓ２からの作業が容易となる。
【００２５】
しかも、施工後に、パネル７が破損した場合でも、腰壁体４を定位置Ｐ２から作業位置Ｐ１まで上動させた位置で固定し、該作業位置Ｐ１に定置された矩形フレーム８に対してパネル７の取り替えを行うことができるので、作業性が極めて良い。
【００２６】
更に、請求項５に記載の本発明によれば竪格子タイプの腰壁を有する手摺構成体を提供することができ、請求項６に記載の本発明によれば横格子タイプの腰壁を有する手摺構成体を提供することができ、これらの腰壁体４は、何れも、内側空間Ｓ２から外側空間Ｓ１に持ち出した状態で下降させることにより、レール部材１３の下端開口部から該レール部材１３の中空部１８にスライダー１４を挿入させることにより摺動機構１２を組付けることができ、仮設足場が存在しない建築現場において、作業者が内側空間Ｓ２から全ての施工作業を行うことが可能であり、しかも、施工後においても、スラブ鼻先部の清掃や、スラブ鼻先部のタイル補修または塗装工事等のメンテナンスに対応できるという効果がある。
【発明を実施するための最良の形態】
【００２７】
以下図面に基づいて本発明の好ましい実施形態を詳述する。
【００２８】
（第１実施形態）
図１は本発明の手摺構成体の第１実施形態を正面側（外側空間）から見た正面図であり、図２（Ａ）は図１に示す腰壁体の左上端の隅部の拡大図、図２（Ｂ）は図２（Ａ）のＡ−Ａ断面図である。図３（Ａ）は図１に示す腰壁体の左下端の隅部の拡大図、図３（Ｂ）は図３（Ａ）のＢ−Ｂ断面図である。図４は図１に示す腰壁体の中央中断面図、図５は図４のＣ−Ｃ断面図、図６は図４のＤ−Ｄ断面図である。図７（Ａ）は手摺本体の支柱とブラケットと摺動機構を分解した状態の斜視図、図７（Ｂ）はブラケットと摺動機構を組付けた状態の横断面図である。図８及び図９は作用を示す縦断面図である。
【００２９】
図１及び図４に示すように、マンションその他の中高層集合住宅等の建造物のバルコニー又は廊下等を構成するスラブ１は、該スラブ１の先端部となる鼻先部２の端面を外側空間Ｓ１と内側空間Ｓ２の間に位置している。尚、鼻先部２は、図示のような起立壁に限られるものではなく、水平床部であっても良い。
【００３０】
手摺構成体は、内側空間Ｓ２に設けられる手摺本体３と、該手摺本体３を外側空間Ｓ１から被う腰壁体４と、前記腰壁体４を手摺本体３に連結するブラケット５から成る持ち出しタイプの手摺構成体を構成している。
【００３１】
手摺本体３は、前記鼻先部２に沿って所定の等間隔で立設された支柱６と、該支柱６の上端に架設された笠木３ａを備えており、鼻先部２の下端Ｌ１から笠木３ａの上端Ｕ１までの高さ領域Ｈ１を有する。これに対して、腰壁体４は、支柱５の列設方向に連装されており、各腰壁体４の側縁がそれぞれに対応する支柱６に臨むように配置されている。この際、腰壁体４は、下端Ｌ２から上端Ｕ２までの高さ寸法Ｈ２を有し、Ｈ２≧Ｈ１となるように構成されており、腰壁体４により外側空間Ｓ１から鼻先部２と笠木３ａの間の全域を被うスラブ隠しタイプの腰壁を構成する。
【００３２】
第１実施形態において、腰壁体４は、パネル７の外周縁を額縁状の矩形フレーム８により保持したパネルタイプの腰壁を構成している。パネル体７は、採光性を有するように透明又は半透明の素材により形成されており、アクリルその他の樹脂パネルにより構成しても良いが、合わせガラス又は強化ガラスから選ばれたガラスパネルにより構成するのが好ましい。額縁状の矩形フレーム８は、左右の竪枠１１、１１の下端部を下枠９により連結され、上端部を上枠１０により連結される。
【００３３】
前記支柱６と腰壁体４の一方を第１構成部材Ｍ１、他方を第２構成部材Ｍ２としたとき、第１構成部材Ｍ１にブラケット５の基端部５ａをボルト・ナット等の固着手段６ａにより固着し、該ブラケット５の先端部５ｂを第２構成部材Ｍ２に対して摺動機構１２を介して連結している。図例の場合、支柱６が第１構成部材Ｍ１を構成し、腰壁体４が第２構成部材Ｍ２を構成しているが、これと反対に構成しても良い。
【００３４】
前記摺動機構１２は、図７に示すように、上下方向に延びるレール部材１３と、該レール部材１３に摺動自在に嵌挿されたスライダー１４を備え、該スライダー１４とレール部材１３を摺動可能な状態と摺動不能な状態の何れにも自在とする固定解放手段１５を設けている。
【００３５】
図７（Ｂ）に示すように、前記レール部材１３は、ブラケット５の先端部５ｂに臨む当接部１６と、該当接部１６を分断して上下方向に延びるスリット状のスライド溝１７を有する中空の長尺部材により形成されている。これに対して、前記スライダー１４は、前記レール部材１３の中空部１８に内装されると共に前記当接部１６に沿って摺動する摺動片１９を備えており、図例の場合、摺動片１９と当接部１６の相互に、摺動自在に嵌合する凹凸条２０が形成され、該凹凸条２０をガイドとして相互に摺動する。
【００３６】
固定解放手段１５は、前記摺動片１９から突出すると共に前記スライド溝１７を挿通して延びる固着用ボルト２１と、該固着用ボルト２１を挿通させるように前記ブラケット５の先端部５ｂに設けられた貫通孔２２と、該貫通孔２２を挿通した固着用ボルト２１の挿出端に螺着される固着用ナット２３とから構成されている。従って、固着用ナット２３を弛緩すると、レール部材１３とスライダー１４が相互に摺動自在となるように解放される。そして、固着用ナット２３を締着すると、ブラケット５の先端部５ｂと摺動片１９により当接部１６を強く挟着し、レール部材１３とスライダー１４を相互に摺動不能に固定する。このように、固定解放手段１５は、スライダー１４とレール部材１３の摺動可能状態と摺動不能状態を自在とするように構成されている。
【００３７】
前記固着用ボルト２１は、合成樹脂製のスライダー１４の成形時にインサートすることにより該スライダー１４に埋設しても良いが、図例の場合、六角形等の多角形の頭部２１ａを備えた固着用ボルト２１をアルミニウム等の金属製のスライダー１４の摺動片１９に開設した挿通孔２４に挿通させている。この際、スライダー１４には一対のリブ壁２５、２５が形成されており、両リブ壁２５、２５の間に頭部２１ａを保持することにより、該頭部２１ａを回動不能に固定することが好ましい。
【００３８】
第１実施形態は、腰壁体４がパネルタイプの腰壁を構成しており、前記レール部材１３により矩形フレーム８の竪枠１１を構成している。このため、図７（Ａ）に示すように、竪枠１１は、レール部材１３の外側に板状壁２６を介して平行に延びる外装部２７を設け、レール部材１３と外装部２７の間に、パネル７の側縁を保持するように側方を開口した保持溝２８を形成しており、アルミニウム等の押出等により成形された長尺材により構成されている。
【００３９】
パネル７の側縁を竪枠１１の保持溝２８に保持するに際しては、図５及び図６に示すように、保持溝２８の内部において、パネル７の側縁の外側をガスケット２９ａで支持し、内側をコーキング２９ｂで支持する。
【００４０】
矩形フレーム８の下枠９は、図３に示すように、パネル７の下縁を保持するように上向きに開口する保持溝３０を備え、アルミニウム等の押出等により成形された長尺材により構成されている。この下枠９は、左右の竪枠１１、１１の下端部の間に架設され、竪枠１１のレール部材１３及び外装部２７の側方からビス３１を螺入することにより固着される。この状態で、竪枠１１、１１におけるレール部材１３の中空部１８及びスライド溝１７と、前記前記外装部２７の中空部と、前記保持溝３０は、それぞれの下端を開口されており、該開口部を蓋部材３２により施蓋される。蓋部材３２は、ビス３３により固着されるが、レール部材１３の下端開口部から中空部１８に向けて前記スライダー１４が挿入された後に下端開口部を施蓋する下部開閉手段３４を構成する。尚、下枠９の底部９ａ及び蓋部材３２には水抜き孔３５が開設されている。
【００４１】
パネル７の下縁を下枠９の保持溝３０に保持するに際しては、該パネル下縁を保持溝３０の底部にブロック３６を介して下方から支持し、パネル７の下縁の外側をガスケット３７ａで支持し、内側をコーキング３７ｂで支持する。
【００４２】
矩形フレーム８の上枠１０は、図２に示すように、パネル７の上縁を保持するように下向きに開口する保持溝３８を備え、アルミニウム等の押出等により成形された長尺材により構成されており、左右の竪枠１１、１１の上端部の間に架設される。上枠１０の頂部には天板部３９が一体に備えられ、該天板部３９の延長部３９ａにより竪枠１１の上端を被い、該延長部３９ａの上方からビス４０を螺入することにより竪枠１１、１１に固着されている。この状態で、竪枠１１、１１におけるレール部材１３の中空部と、前記外装部２７の中空部と、前記保持溝２８は、それぞれの上端を開口されており、該開口部を前記延長部３９ａにより施蓋される。上枠１０は、前記ビス４０により着脱自在であり、上枠１０と共に天板の延長部３９ａを着脱することによりレール部材１３の上端開口から保持溝２８に向けてパネル７の側縁を挿入可能とする上部開閉手段４１が構成されている。
【００４３】
パネル７の上縁を上枠１０の保持溝３８に保持するに際しては、パネル７の両側縁を竪枠１１、１１の保持溝２８、２８に挿入すると共に、下端縁を下枠９の保持溝３０に保持させた後、前述のように上枠１０をビス４０で取付け、該パネル７の上縁の外側をガスケット４２ａで支持し、内側をコーキング４２ｂで支持する。
【００４４】
（第１実施形態の施工方法）
パネルタイプの腰壁を構成する第１実施形態の手摺構成体は、内側空間Ｓ２において、スラブ１の鼻先部２に手摺本体３を構築した後、支柱６の両側面に一対のブラケット５、５をボルト・ナット等の固着手段６ａにより固着する。この際、一対のブラケット５、５は、上下に間隔をあけて複数組（図例の場合は２組）を設けることが好ましい。図示実施形態の場合、ブラケット５は、支柱６の側面に添設される基端部５ａから、該支柱６の前面に沿うようにほぼＬ形に折曲された折曲部５ｃを介して外側空間Ｓ１に向けて延びるアーム部５ｄを有し、該アーム部５ｄから外向きにほぼＬ形に折曲された先端部５ｂを有している。そこで、スライダー１４に固着用ボルト２１を組付けた状態で、該固着用ボルト２１を先端部５ｂの貫通孔２２に挿通し、挿出端に固着用ナット２３を螺合することにより、スライダー１４をブラケット先端部５ｂに仮止めする。この際、固着用ナット２３は完全な締着状態ではなく、固着用ボルト２１が脱落しない程度に螺合されている。
【００４５】
矩形フレーム８は、内側空間Ｓ２において、竪枠１１、１１に下枠９と上枠１０を取付けることにより額縁状に枠組形成される。このとき、下部開閉手段３４を構成する蓋部材３２は取付けられておらず、竪枠１１、１１は、レール部材１３の中空部１８とスライド溝１７の下端を開口している。そこで、内側空間Ｓ２の側から矩形フレーム８を持ち上げて外側空間Ｓ１に持ち出し、下動させながら、ブラケット５に仮止めされたスライダー１４を、これに対応する竪枠１１のレール部材１３の中空部１８に下端開口から挿入させ、スライダー１４をレール部材１３に組付ける。このとき、固着用ボルト２１は、スライド溝１７に沿って挿入される。所要のスライダー１４を全て挿入した後、下部開閉手段３４を構成する蓋部材３２を取付ける。この状態で、スライダー１４とレール部材１３が相互に摺動することにより、矩形フレーム８は上下動自在であるが、固着用ナット２３を締着することにより、任意の位置で固定される。
【００４６】
前記と別の方法として、分解された竪枠１１、１１のレール部材１３をそれぞれが対応するスライダー１４に連結し、固着用ナット２３により固定した状態で、竪枠１１、１１に下枠９と上枠１０を取付け、額縁状の矩形フレーム８を形成しても良い。何れの方法によっても、矩形フレーム８の枠組み作業は、内側空間Ｓ２の側から作業者により行われる。
【００４７】
矩形フレーム８を外側空間Ｓ１に持ち出した状態でブラケット５に連結した後、図８に示すように、摺動機構１２の摺動を介して、該矩形フレーム８の下端Ｌ２が鼻先部２の下端Ｌ１よりも上方に位置する作業位置Ｐ１まで上動させ、固着用ナット２３を締着することにより摺動機構１２を摺動不能となるように固定し、この状態で、矩形フレーム８にパネル７を挿入する。尚、作業位置Ｐ１は、摺動機構１２の上下摺動可能な範囲で、作業者が作業し易い任意の位置とすることが可能である。
【００４８】
上述のように、上枠１０の天板部３９の延長部３９ａにより上部開閉手段４１を構成している場合は、該上枠１０を取外して上部開閉手段４１を開蓋することにより、竪枠１１、１１の保持溝２８の上端を開口させ、上方からパネル７の両側縁を保持溝２８、２８に挿入しつつ下降させる。パネル７の下縁が下枠９の保持溝３０に保持され、ブロック３６に支持された後、上枠１０を取付け、延長部３９ａにより構成された上部開閉手段４１により竪枠１１、１１の上端開口部を施蓋する。
【００４９】
このようにパネル７を矩形フレーム８に装着する際、下枠９の保持溝３０にガスケット３７ａとコーキング３７ｂが施工され、竪枠１１、１１の保持溝２８にガスケット２９ａとコーキング２９ｂが施工され、上枠１０の保持溝３８にガスケット４２ａとコーキング４２ｂが施工され、このような施工作業も内側空間Ｓ２の側から作業者により行われる。
【００５０】
上記のようにしてパネル７を矩形フレーム８に装着することによりパネルタイプの腰壁体４を組立てた後、固着用ナット２３を緩めて摺動機構１２を摺動させることにより、腰壁体４を前記作業位置Ｐ１から下動させ、図９（Ｂ）に示すように、腰壁体４の下端Ｌ２がスラブ１の下端Ｌ１にほぼ一致して鼻先部２を被う定位置Ｐ２まで下動させた状態で、固着用ナット２３を締着することにより摺動機構１２を摺動不能に固定する。このようにして、所定数の腰壁体４を連装施工し、作業を完了する。これにより、持ち出しタイプかつスラブ隠しタイプの腰壁体４を備えた手摺構成体が構築される。
【００５１】
腰壁体４を作業位置Ｐ１から下動させ、定位置Ｐ２で固定する作業を容易にするために、図６に示すように、レール部材１３の所定位置にストッパー部材４３を設けることが好ましい。図示実施形態の場合、ストッパー部材４３は、レール部材１３の背面（手摺本体３に臨む面）にビス４４で固着された板部材により構成されており、図４及び図９（Ｂ）に示すように、摺動機構１２の摺動を介して腰壁体４を下動したとき、該ストッパー部材４３がブラケット５の先端部５ｂの上に当接して載置されることにより、腰壁体４を定位置Ｐ２から更に下動することを阻止する。従って、このように定位置Ｐ２に停止させた状態で、固着用ナット２３を締着することにより摺動機構１２を摺動不能に固定することができるので、作業が容易となる。
【００５２】
図示実施形態の場合、ブラケット５の先端部５ｂがストッパー部材４３を受け止める固定部材４５を構成するが、別の構成を採用することも可能である。例えば、レール部材１３に固着されたストッパー部材４３によりスライド溝１７の一部を閉塞するように構成し、腰壁体４を定位置Ｐ２まで下動させたとき、ストッパー部材４３がブラケット５の先端部５ｂの貫通孔２２に挿通された固着用ボルト２１に当接載置されるように構成しても良い。つまり、この場合は、固着用ボルト２１によりストッパー部材４３を受け止める固定部材４５が構成される。このように、ストッパー部材４３を受け止める固定部材４５は、ブラケット５の側に固定された部材であれば良い。
【００５３】
前述したような図示の実施形態の場合、上部開閉手段４１が上枠１０に一体形成された天板部３９の延長部３９ａにより構成されており、このため、竪枠１１、１１の保持溝２８、２８にパネル７の両側縁を挿入する際に、上枠１０の全体を取外す構成を説明した。しかしながら、このような構成に代えて、例えば、図１０に示すように、延長部３９ａを備えた天板部３９を上枠１０に対して着脱自在に構成し、上枠１０を竪枠１１、１１に取付けたままの状態で、天板部３９を取外すことにより竪枠１１、１１の保持溝２８、２８を開口させ、該保持溝２８、２８にパネル７の両側縁を挿入した後に、前記天板部３９をビス４０で固着するように構成しても良い。
【００５４】
上述のように固定解放手段１５は、スライダー１４とレール部材１３の摺動可能状態と摺動不能状態を自在とするように構成されており、手摺構成体の施工を完了した後においても、固着用ナット２３を緩めることにより、腰壁体４を定位置Ｐ２から作業位置Ｐ１まで上動させ、再び固着用ナット２３を締着することにより腰壁体４を作業位置Ｐ１で固定することが可能である。従って、施工後においても、腰壁体４を簡単容易に上動することができ、パネル７が破損したときの取り替えや、鼻先部２の清掃や、鼻先部２のタイル補修または塗装工事等のメンテナンスに対応できる。
【００５５】
（第２実施形態）
図１１は本発明の手摺構成体の第２実施形態を正面側（外側空間）から見た正面図であり、図１２は手摺本体と腰壁体の連結部を示す横断面図である。図１３は手摺本体の支柱とブラケットと摺動機構を分解した状態の斜視図である。
【００５６】
第２実施形態は、腰壁体４が上下方向に延びる竪格子４ａを横方向に列設した竪格子タイプの腰壁を構成している。手摺本体３の構成は上記第１実施形態と同様である。即ち、内側空間Ｓ２に設けられた手摺本体３に対して、該手摺本体３を外側空間Ｓ１から被うように腰壁体４が配設され、該腰壁体４と手摺本体３の支柱６を連結するブラケット５が設けられている。この際、腰壁体４は、外側空間Ｓ１から鼻先部２と笠木３ａの間の全域を被う高さ寸法を有しており、これにより持ち出しタイプかつスラブ隠しタイプの腰壁を構成する。そして、基端部５ａを支柱６に固着されたブラケット５の先端部５ｂと腰壁体４の相互間に摺動機構１２を設けている。
【００５７】
腰壁体４は、図示実施形態の場合、各竪格子４ａの上下端部を上桟部材５１と下桟部材５２に固着することにより縦縞状の面格子を構成しており、上下桟部材５１、５２の背後（手摺本体３に臨む側）に竪枠５３をビス５４、５５で固着することにより、該竪枠５３を腰壁体４と一体的に構成している。尚、竪枠５３は、手摺本体３の支柱６に対応して設けられている。
【００５８】
前記摺動機構１２は、上下方向に延びるレール部材１３と、該レール部材１３に摺動自在に嵌挿されるスライダー１４を備え、該スライダー１４とレール部材１３を相互に摺動不能に固定する固定解放手段１５を設けており、この点は上記第１実施形態と同様である。そして、第２実施形態において、前記竪枠５３それ自体がレール部材１３を構成している。尚、摺動機構１２の詳細は、上記第１実施形態について説明した図７（Ｂ）の構成と同様である。
【００５９】
（第２実施形態の施工方法）
竪格子タイプの腰壁を構成する第２実施形態の手摺構成体は、内側空間Ｓ２において、スラブ１の鼻先部２に手摺本体３を構築した後、支柱６の両側面に一対のブラケット５、５をボルト・ナット等の固着手段６ａにより固着する。この際、一対のブラケット５、５は、上下に間隔をあけて複数組（例えば２組）を設けることが好ましい。図示実施形態の場合、ブラケット５は、支柱６の側面に添設される基端部５ａから外側空間Ｓ１に向けて延びるアーム部５ｄを有し、該アーム部５ｄから外向きにほぼＬ形に折曲された先端部５ｂを有している。そこで、スライダー１４に固着用ボルト２１を組付けた状態で、該固着用ボルト２１を先端部５ｂの貫通孔２２に挿通し、挿出端に固着用ナット２３を螺合することにより、スライダー１４をブラケット先端部５ｂに仮止めする。この際、固着用ナット２３は完全な締着状態ではなく、固着用ボルト２１が脱落しない程度に螺合されている。
【００６０】
腰壁体４は、工場で予め組立てられ、又は現場における内側空間Ｓ２で組立てられ、レール部材１３の下端を開口している。そこで、内側空間Ｓ２の側から腰壁体４を持ち上げて外側空間Ｓ１に持ち出し、下動させながら、ブラケット５に仮止めされたスライダー１４を、これに対応するレール部材１３の中空部１８に下端開口から挿入させ、スライダー１４をレール部材１３に組付ける。このとき、固着用ボルト２１は、スライド溝１７に沿って挿入される。所要のスライダー１４を全て挿入した後、レール部材１３の下端開口を下部開閉手段（図示せず）により閉蓋しても良いが、開口させたままでも良い。この状態で、スライダー１４とレール部材１３が相互に摺動することにより、腰壁体４は上下動自在であるが、固着用ナット２３を締着することにより、任意の位置で固定される。
【００６１】
腰壁体４を外側空間Ｓ１に持ち出した状態でブラケット５に連結した後、摺動機構１２の摺動を介して、腰壁体４を下動させ、上記第１実施形態について説明したのと同様に、腰壁体４の下端Ｌ２がスラブ１の下端Ｌ１にほぼ一致して鼻先部２を被う定位置Ｐ２まで下動させた状態で、固着用ナット２３を締着することにより摺動機構１２を摺動不能に固定する。これにより、竪格子タイプであって、持ち出しタイプかつスラブ隠しタイプの腰壁体４を備えた手摺構成体が構築される。
【００６２】
図示省略しているが、第１実施形態と同様に、第２実施形態においても、腰壁体４を定位置Ｐ２で固定する作業を容易にするために、レール部材１３の所定位置にストッパー部材を設けることが好ましい。
【００６３】
（第３実施形態）
図１４は本発明の手摺構成体の第３実施形態を正面側（外側空間）から見た正面図であり、図１５は手摺本体と腰壁体の連結部を示す横断面図である。図１６は手摺本体の支柱とブラケットと摺動機構を分解した状態の斜視図である。
【００６４】
第３実施形態は、腰壁体４が水平な横方向に延びる横格子４ｂを横方向に列設することにより水平ルーバーを形成する横格子タイプの腰壁を構成している。手摺本体３の構成は上記第１実施形態と同様である。即ち、内側空間Ｓ２に設けられた手摺本体３に対して、該手摺本体３を外側空間Ｓ１から被うように腰壁体４が配設され、該腰壁体４と手摺本体３の支柱６を連結するブラケット５が設けられている。この際、腰壁体４は、外側空間Ｓ１から鼻先部２と笠木３ａの間の全域を被う高さ寸法を有しており、これにより持ち出しタイプかつスラブ隠しタイプの腰壁を構成する。そして、基端部５ａを支柱６に固着されたブラケット５の先端部５ｂと腰壁体４の相互間に摺動機構１２を設けている。
【００６５】
腰壁体４は、図示実施形態の場合、各横格子４ｂを竪枠６１に対して交差配置させ、相互にビス等で固着することにより横縞状の面格子を構成している。従って、竪枠６１が腰壁体４と一体的に構成されている。尚、竪枠６１は、手摺本体３の支柱６に対応して設けられている。
【００６６】
前記摺動機構１２は、上下方向に延びるレール部材１３と、該レール部材１３に摺動自在に嵌挿されるスライダー１４を備え、該スライダー１４とレール部材１３を相互に摺動不能に固定する固定解放手段１５を設けており、この点は上記第１実施形態と同様である。そして、第３実施形態において、前記竪枠６１それ自体がレール部材１３を構成している。尚、摺動機構１２の詳細は、上記第１実施形態について説明した図７（Ｂ）の構成と同様である。
【００６７】
（第３実施形態の施工方法）
横格子タイプの腰壁を構成する第３実施形態の手摺構成体は、内側空間Ｓ２において、スラブ１の鼻先部２に手摺本体３を構築した後、支柱６の両側面に一対のブラケット５、５をボルト・ナット等の固着手段６ａにより固着する。この際、一対のブラケット５、５は、上下に間隔をあけて複数組（例えば２組）を設けることが好ましい。図示実施形態の場合、ブラケット５は、支柱６の側面に添設される基端部５ａから外側空間Ｓ１に向けて延びるアーム部５ｄを有し、該アーム部５ｄから外向きにほぼＬ形に折曲された先端部５ｂを有している。そこで、スライダー１４に固着用ボルト２１を組付けた状態で、該固着用ボルト２１を先端部５ｂの貫通孔２２に挿通し、挿出端に固着用ナット２３を螺合することにより、スライダー１４をブラケット先端部５ｂに仮止めする。この際、固着用ナット２３は完全な締着状態ではなく、固着用ボルト２１が脱落しない程度に螺合されている。
【００６８】
腰壁体４は、工場で予め組立てられ、又は現場における内側空間Ｓ２で組立てられ、レール部材１３の下端を開口している。そこで、内側空間Ｓ２の側から腰壁体４を持ち上げて外側空間Ｓ１に持ち出し、下動させながら、ブラケット５に仮止めされたスライダー１４を、これに対応するレール部材１３の中空部１８に下端開口から挿入させ、スライダー１４をレール部材１３に組付ける。このとき、固着用ボルト２１は、スライド溝１７に沿って挿入される。所要のスライダー１４を全て挿入した後、レール部材１３の下端開口を下部開閉手段（図示せず）により閉蓋しても良いが、開口させたままでも良い。この状態で、スライダー１４とレール部材１３が相互に摺動することにより、腰壁体４は上下動自在であるが、固着用ナット２３を締着することにより、任意の位置で固定される。
【００６９】
腰壁体４を外側空間Ｓ１に持ち出した状態でブラケット５に連結した後、摺動機構１２の摺動を介して、腰壁体４を下動させ、上記第１実施形態について説明したのと同様に、腰壁体４の下端Ｌ２がスラブ１の下端Ｌ１にほぼ一致して鼻先部２を被う定位置Ｐ２まで下動させた状態で、固着用ナット２３を締着することにより摺動機構１２を摺動不能に固定する。これにより、横格子タイプであって、持ち出しタイプかつスラブ隠しタイプの腰壁体４を備えた手摺構成体が構築される。
【００７０】
図示省略しているが、第１実施形態と同様に、第３実施形態においても、腰壁体４を定位置Ｐ２で固定する作業を容易にするために、レール部材１３の所定位置にストッパー部材を設けることが好ましい。
【図面の簡単な説明】
【００７１】
【図１】本発明の手摺構成体の第１実施形態を正面側（外側空間）から見た正面図である。
【図２】第１実施形態を示しており、（Ａ）は図１に示す腰壁体の左上端の隅部の拡大図であり、（Ｂ）はＡ−Ａ断面図である。
【図３】第１実施形態を示しており、（Ａ）は図１に示す腰壁体の左下端の隅部の拡大図であり、（Ｂ）はＢ−Ｂ断面図である。
【図４】第１実施形態の中央中断面図である。
【図５】図４のＣ−Ｃ断面図である。
【図６】図４のＤ−Ｄ断面図である。
【図７】（Ａ）は手摺本体の支柱とブラケットと摺動機構を分解した状態を示す斜視図であり、（Ｂ）はブラケットと摺動機構を組付けた状態を示す横断面図である。
【図８】第１実施形態の施工方法を示しており、矩形フレームにパネルを装着している状態を示す縦断面図である。
【図９】第１実施形態の施工方法を示しており、（Ａ）は矩形フレームにパネルが装着され腰壁体が形成された状態を示す縦断面図であり、（Ｂ）は腰壁体を定位置に下動した状態を示す縦断面図である。
【図１０】第１実施形態に関して上部開閉手段の別の実施例を示しており、（Ａ）は正面図であり、（Ｂ）は縦断面図である。
【図１１】本発明の手摺構成体の第２実施形態を正面側（外側空間）から見た正面図である。
【図１２】第２実施形態を示しており、手摺本体と腰壁体の連結部を示す横断面図である。
【図１３】第２実施形態を示しており、手摺本体の支柱とブラケットと摺動機構を分解した状態を示す斜視図である。
【図１４】本発明の手摺構成体の第３実施形態を正面側（外側空間）から見た正面図である。
【図１５】第３実施形態を示しており、手摺本体と腰壁体の連結部を示す横断面図である。
【図１６】第３実施形態を示しており、手摺本体の支柱とブラケットと摺動機構を分解した状態を示す斜視図である。
【符号の説明】
【００７２】
１  スラブ
２  鼻先部
３  手摺本体
４  腰壁体
５  ブラケット
５ａ  基端部
５ｂ  先端部
６  支柱
６ａ  固着手段
７  パネル
８  矩形フレーム
９  下枠
１０  上枠
１１  竪枠
１２  摺動機構
１３  レール部材
１４  スライダー
１５  固定解放手段
１６  当接部
１７  スライド溝
１８  中空部
１９  摺動片
２１  固着用ボルト
２２  貫通孔
２３  固着用ナット
２７  外装部
２８、３０、３８  保持溝
４３  ストッパー部材
４５  固定部材
４ａ  竪格子
５３  竪枠
４ｂ  横格子
６１  竪枠
Ｓ１  外側空間
Ｓ２  内側空間
Ｐ１  作業位置
Ｐ２  定位置
【図１】
2010144403.tif 000003
【図２】
2010144403.tif 000004
【図３】
2010144403.tif 000005
【図４】
2010144403.tif 000006
【図５】
2010144403.tif 000007
【図６】
2010144403.tif 000008
【図７】
2010144403.tif 000009
【図８】
2010144403.tif 000010
【図９】
2010144403.tif 000011
【図１０】
2010144403.tif 000012
【図１１】
2010144403.tif 000013
【図１２】
2010144403.tif 000014
【図１３】
2010144403.tif 000015
【図１４】
2010144403.tif 000016
【図１５】
2010144403.tif 000017
【図１６】
2010144403.tif 000018